(57)【要約】【課題】ユーザー嗜好性の高い番組を自動録画可能で、録画コンテンツを含めて出力候補として取り扱うことができ、録画中の番組についてリアルタイム性を判断して再生することが可能な映像蓄積表示装置を提供する。【解決手段】本体ソフトウェア５００Ａは、履歴データ５０と、履歴情報管理部５１と、嗜好モデル５２と、嗜好モデル学習部５３と、嗜好モデル管理部５４と、ＥＰＧ管理部５９と、ＥＰＧデータ６０と、履歴データ５０と嗜好モデル５２およびＥＰＧデータ６０とを参照して各番組の推薦度を計算する推薦度計算部５７と、推薦度計算部５７の出力に基づき番組を決定する推薦番組決定部５６と、コンテンツの録画および録画済みコンテンツの再生を制御する録画再生制御部６４と、録画コンテンツ６５とを有する。【選択図】図３
2007281676.tif 000002
【特許請求の範囲】
【請求項１】
番組映像を受信する信号受信部と、
番組情報を取得する番組情報取得部と、
番組視聴履歴と録画履歴とを記憶する情報記憶部と、
前記番組情報と前記番組視および前記録画履歴より推薦番組を決定する推薦番組決定部と、
前記推薦番組の映像を自動で録画し再生可能な録画再生制御部とを有し、
電源が投入されると同時に前記推薦番組を出力することを特徴とする映像蓄積表示装置。
【請求項２】
番組映像を受信する信号受信部と、
番組情報を取得する番組情報取得部と、
番組視聴履歴と録画履歴とを記憶する情報記憶部と、
前記番組情報と前記番組視聴履歴および前記録画履歴より推薦番組を決定する推薦番組決定部と、
前記推薦番組の映像を自動で録画し再生可能な録画再生制御部とを有し、
電源が投入されると同時に、前記推薦番組が録画中である場合は先頭から再生出力し、録画していない場合はそのまま出力することを特徴とする映像蓄積表示装置。
【請求項３】
番組映像を受信する信号受信部と、
番組情報を取得する番組情報取得部と、
番組視聴履歴と録画履歴とを記憶する情報記憶部と、
前記番組情報と前記番組視聴履歴および前記録画履歴より推薦番組を決定し、前記推薦番組のリアルタイム性を判断する推薦番組決定部と、
前記推薦番組の映像を自動で録画し再生可能な録画再生制御部とを有し、
電源が投入されると同時に、前記推薦番組が録画中であってリアルタイム性が低い場合は先頭から再生出力し、録画中であってリアルタイム性が高い場合、または録画していない場合はそのまま出力することを特徴とする映像蓄積表示装置。
【請求項４】
前記録画再生制御部は、録画済みの前記推薦番組を再生する場合、前回再生を停止した位置から前記推薦番組を再生することを特徴とする請求項１から３のいずれかに記載の映像蓄積表示装置。
【請求項５】
前記情報記憶部は、視聴しているユーザーごとに前記番組視聴履歴と前記録画履歴とを有し、前記ユーザーごとに切り替えて使用することを特徴とする請求項１から３のいずれかに記載の映像蓄積表示装置。
【請求項６】
番組映像を受信する信号受信部と、
番組情報を取得する番組情報取得部と、
番組視聴履歴と録画履歴とを記憶する情報記憶部と、
前記番組視聴履歴および前記録画履歴を外部サーバに送信可能な通信部と、
前記外部サーバより推薦番組受信可能な推薦番組受信部と、
前記推薦番組の映像を自動で録画し再生可能な録画再生制御部とを有し、
電源が投入されると同時に前記推薦番組を出力することを特徴とする映像蓄積表示装置。
【請求項７】
番組映像を受信する信号受信部と、
番組情報を取得する番組情報取得部と、
番組視聴履歴と録画履歴とを記憶する情報記憶部と、
前記番組視聴履歴および前記録画履歴を外部サーバに送信可能な通信部と、
前記外部サーバより推薦番組受信可能な推薦番組受信部と、
前記推薦番組の映像を自動で録画し再生可能な録画再生制御部とを有し、
電源が投入されると同時に、前記推薦番組が録画中である場合は先頭から再生出力し、録画していない場合はそのまま出力することを特徴とする映像蓄積表示装置。
【請求項８】
番組映像を受信する信号受信部と、
番組情報を取得する番組情報取得部と、
番組視聴履歴と録画履歴とを記憶する情報記憶部と、
前記番組視聴履歴および前記録画履歴を外部サーバに送信可能な通信部と、
前記外部サーバより推薦番組と前記推薦番組のリアルタイム性を受信可能な推薦番組受信部と、
前記推薦番組の映像を自動で録画し再生可能な録画再生制御部とを有し、
電源が投入されると同時に、前記推薦番組が録画中であってリアルタイム性が低い場合は先頭から再生出力し、録画中であってリアルタイム性が高い場合、または録画していない場合はそのまま出力することを特徴とする映像蓄積表示装置。
【発明の詳細な説明】
【技術分野】
【０００１】
本発明は、映像蓄積表示装置に関し、特にユーザーの好みを学習し嗜好の高い番組を選択出力する映像蓄積装置に関する。
【背景技術】
【０００２】
従来の技術として、装置を使用しているユーザーの視聴履歴、および嗜好情報と番組属性情報とを参照して、ユーザーが見たいと思う番組を選択して出力する放送受信装置が知られている（例えば、特許文献１）。
【０００３】
この放送受信装置によると、ユーザーが視聴した番組の放送日時、番組タイトル、ジャンル、内容、出演者情報等が含まれる視聴履歴と、視聴履歴から得られるジャンル、または内容等の要素から抽出される嗜好情報とを記録し日々更新しているため、視聴している時点での番組情報、および録画中または録画済みの番組情報と照らし合わせることによりユーザーが望む番組を出力することが可能である。
【特許文献１】特開２００３−２１９２８７号公報
【発明の開示】
【発明が解決しようとする課題】
【０００４】
しかし、従来の放送受信装置によると、録画中および録画済みの番組を出力候補として扱うことが可能であるが、録画操作自体はユーザーが行う必要があり、ユーザーの嗜好が高い番組であっても録画していない番組は出力候補として取り扱われないという問題があった。また、録画中の番組が出力候補として取り扱われた場合に、ユーザーの嗜好に沿って、録画と同時に番組の先頭から再生する追いかけ再生をするのか、もしくは放送中の番組をそのまま出力するのかを、放送受信装置は判断することができないという問題があった。
【０００５】
従って、本発明の目的は、ユーザー嗜好性の高い番組を自動録画可能で、録画コンテンツを含めて出力候補として取り扱うことができ、録画中の番組についてリアルタイム性を判断して再生することが可能な映像蓄積表示装置を提供することにある。
【課題を解決するための手段】
【０００６】
（１）本発明は上記目的を達成するため、番組映像を受信する信号受信部と、番組情報を取得する番組情報取得部と、番組視聴履歴と録画履歴とを記憶する情報記憶部と、前記番組情報と前記番組視および前記録画履歴より推薦番組を決定する推薦番組決定部と、前記推薦番組の映像を自動で録画し再生可能な録画再生制御部とを有し、電源が投入されると同時に前記推薦番組を出力することを特徴とする映像蓄積表示装置を提供する。
【０００７】
このような構成によれば、ユーザーの嗜好の高い番組を自動録画可能なため、電源投入時の出力候補としてユーザーが録画指定していない番組を扱うことができる。
【０００８】
（２）また、本発明は上記目的を達成するため、番組映像を受信する信号受信部と、番組情報を取得する番組情報取得部と、番組視聴履歴と録画履歴とを記憶する情報記憶部と、前記番組情報と前記番組視聴履歴および前記録画履歴より推薦番組を決定する推薦番組決定部と、前記推薦番組の映像を自動で録画し再生可能な録画再生制御部とを有し、電源が投入されると同時に、前記推薦番組が録画中である場合は先頭から再生出力し、録画していない場合はそのまま出力することを特徴とする映像蓄積表示装置を提供する。
【０００９】
このような構成によれば、録画中の推薦番組について追いかけ再生をするため、時系列に沿って全編通して推薦番組を視聴することが可能となり、録画していない場合には、可能な限り嗜好に沿って番組を視聴することができる。
【００１０】
（３）また、本発明は上記目的を達成するため、番組映像を受信する信号受信部と、番組情報を取得する番組情報取得部と、番組視聴履歴と録画履歴とを記憶する情報記憶部と、前記番組情報と前記番組視聴履歴および前記録画履歴より推薦番組を決定し、前記推薦番組のリアルタイム性を判断する推薦番組決定部と、前記推薦番組の映像を自動で録画し再生可能な録画再生制御部とを有し、電源が投入されると同時に、前記推薦番組が録画中であってリアルタイム性が低い場合は先頭から再生出力し、録画中であってリアルタイム性が高い場合、または録画していない場合はそのまま出力することを特徴とする映像蓄積表示装置を提供する。
【００１１】
このような構成によれば、（２）の効果に加え、録画中の推薦番組に対してリアルタイム性を判断して出力することができるため、よりユーザーの嗜好に沿った番組出力が可能となる。
【００１２】
（４）また、本発明は上記目的を達成するため、番組映像を受信する信号受信部と、番組情報を取得する番組情報取得部と、番組視聴履歴と録画履歴とを記憶する情報記憶部と、前記番組視聴履歴および前記録画履歴を外部サーバに送信可能な通信部と、前記外部サーバより推薦番組受信可能な推薦番組受信部と、前記推薦番組の映像を自動で録画し再生可能な録画再生制御部とを有し、電源が投入されると同時に前記推薦番組を出力することを特徴とする映像蓄積表示装置を提供する。
【００１３】
このような構成によれば、サーバにて推薦番組を決定するための処理が行われるため、映像蓄積表示装置の構成が簡潔となる。また、推薦番組決定手段をサーバが有するため、サーバアップデートによる全システムの推薦番組決定手段のアップデートが可能となる。
【００１４】
（５）また、本発明は上記目的を達成するため、番組映像を受信する信号受信部と、番組情報を取得する番組情報取得部と、番組視聴履歴と録画履歴とを記憶する情報記憶部と、前記番組視聴履歴および前記録画履歴を外部サーバに送信可能な通信部と、前記外部サーバより推薦番組受信可能な推薦番組受信部と、前記推薦番組の映像を自動で録画し再生可能な録画再生制御部とを有し、電源が投入されると同時に、前記推薦番組が録画中である場合は先頭から再生出力し、録画していない場合はそのまま出力することを特徴とする映像蓄積表示装置を提供する。
【００１５】
このような構成によれば、（２）の効果を有する、より簡潔な映像蓄積表示装置が可能となる。
【００１６】
（６）また、本発明は上記目的を達成するため、番組映像を受信する信号受信部と、番組情報を取得する番組情報取得部と、番組視聴履歴と録画履歴とを記憶する情報記憶部と、前記番組視聴履歴および前記録画履歴を外部サーバに送信可能な通信部と、前記外部サーバより推薦番組と前記推薦番組のリアルタイム性を受信可能な推薦番組受信部と、前記推薦番組の映像を自動で録画し再生可能な録画再生制御部とを有し、電源が投入されると同時に、前記推薦番組が録画中であってリアルタイム性が低い場合は先頭から再生出力し、録画中であってリアルタイム性が高い場合、または録画していない場合はそのまま出力することを特徴とする映像蓄積表示装置を提供する。
【００１７】
このような構成によれば、サーバにおいてリアルタイム性を判断することができるため、（３）の機能を有するより簡潔な映像蓄積表示装置が可能となる。
【発明の効果】
【００１８】
本発明によれば、リアルタイム性を考慮し、ユーザーが見たい番組を出力することが可能となる。
【発明を実施するための最良の形態】
【００１９】
以下に、本発明の映像蓄積表示装置の実施の形態を図面を参考にして詳細に説明する。
【００２０】
〔第１の実施の形態〕
（映像蓄積表示装置の構成）
図１は、本発明の第１の実施の形態に関する映像蓄積表示装置の概略図である。
【００２１】
映像蓄積表示装置１は、ＣＰＵ（Ｃｅｎｔｒａｌ Ｐｒｏｃｅｓｓｉｎｇ Ｕｎｉｔ）、ＨＤＤ（Ｈａｒｄ Ｄｉｓｃ Ｄｒｉｖｅ）等の電子部品より構成される本体機能部２と、本体機能部２より出力される画像や文字等を表示する表示画面３１を有する画像表示部３と、本体機能部２のインターフェース（Ｉ／Ｆ）部に作用して映像蓄積表示装置１を遠隔操作可能なリモコン４とを有する。
【００２２】
図２は、本発明の第１の実施の形態に関する映像蓄積表示装置の概略構成を示すブロック図である。
【００２３】
本体機能部２は、デジタル映像を処理するシステムＬＳＩ（Ｌａｒｇｅ  Ｓｃａｌｅ  Ｉｎｔｅｇｒａｔｉｏｎ）１０と、デジタル映像信号を受信、復調する信号受信部２０とからなる。デジタル映像意外の受信機能としては、アナログチューナーからの出力信号を受信するためのＡ／Ｄ部４８、画面上に発生するゴーストを軽減するゴーストリダクション４７、および映像信号を輝度信号と色信号とに分離する３次元ＹＣ分離４６、また外部映像機器を接続するためのアナログ・デジタル変換を行うＡ／Ｄ部４９を有する。
【００２４】
システムＬＳＩ１０は、信号受信部２０からのデジタル信号やデジタル化されたアナログ信号を受信し、映像、音声、および番組情報に分離するＤＥＭＵＸ（Ｄｅ−ＭＵｌｔｉｐｌｅＸｅｒ）１１と、デジタル放送やＤＶＤ等に使用されている規格ＭＰＥＧ−２をデコードするためのＭＰＥＧ−２デコーダ１２と、デコードされた画像信号を描画するためのグラフィックエンジン１３と、画像表示部３に出力信号を最適化するためのデジタルフォーマットコンバータ１４とを有する。
【００２５】
ＣＰＵ１５は、システムＬＳＩ１０上の各部に接続されており各部をそれぞれ制御する。また、ＣＰＵ１５より、映像や内部処理のためのプログラムを記憶するハードディスク４０と、ＣＰＵ１５の処理中のデータを一時的に保存するＳＤＲＡＭ４１と、図示しない外部記憶装置等のデータをコピーして保存するフラッシュメモリ４２と、イーサネット（登録商標）等を介して外部と通信するためのＬＡＮ処理ＬＳＩ４３と、図示しない外部記憶装置と接続するためのコントローラＬＳＩ４４と、リモコン４の操作命令受信や外部機器との接続、および本体機能部に備えられた図示しない操作スイッチに使用されるＩ／Ｆ部４５とが拡張して接続されている。
【００２６】
信号受信部２０は、図示しない外部アンテナに接続されて地上波デジタル放送を受信するデジタルチューナ２１と、デジタルチューナ２１からの出力を復調する復調部２３と、図示しない外部アンテナに接続されてＢＳおよびＣＳ放送を受信するデジタルチューナ２２と、デジタルチューナ２２からの出力を復調する復調部２４とを有する。
【００２７】
画像表示部３は、表示画面３１と、本体機能部２からの出力を受信して表示画面３１に最適化し、最終画質調整するためのバックエンドプロセッサ３０とを有する。
【００２８】
（本体ソフトウェアの構成）
図３は、本発明の第１の実施の形態における本体ソフトウェアの構成を示す概略図である。
【００２９】
映像蓄積表示装置１を制御するための本体ソフトウェア５００Ａは、図２に示すハードディスク４０中に記憶され、図３のような構成を有する。本体ソフトウェア５００Ａの動作は図２に示すＣＰＵ１５により制御される。図３に示すＩ／Ｆ部４５は、図２に示すＩ／Ｆ部４５を介して入力された命令であるものとする。
【００３０】
本体ソフトウェア５００Ａは、ユーザーが視聴した番組情報を蓄積する履歴データ５０と、履歴データ５０を管理する履歴情報管理部５１と、ユーザーの嗜好を蓄積する嗜好モデル５２と、嗜好モデル５２を作成するための嗜好モデル学習部５３と、嗜好モデル５２を管理する嗜好モデル管理部５４と、放送局を選択してデジタルチューナ２１または２２に指令を送信する選局管理部５５と、推薦度計算部５７からの出力を参照して推薦番組を決定する推薦番組決定部５６と、履歴データ５０と嗜好モデル５２およびＥＰＧデータ６０とを参照して各番組の推薦度を計算する推薦度計算部５７と、選局管理部５５により選択された放送局のパケットをフィルタリングする等のＴＳ（Ｔｒａｎｓｐｏｒｔ  Ｓｔｒｅａｍ）分離処理を行うＴＳＰ（Ｔｒａｎｓｐｏｒｔ  Ｓｔｒｅａｍ  Ｐｒｏｃｅｓｓｏｒ）部５８と、ＥＰＧ（Ｅｌｅｃｔｒｏｎｉｃ  Ｐｒｏｇｒａｍ  Ｇｕｉｄｅ）データを管理するＥＰＧ管理部５９と、外部より取得したＥＰＧデータを蓄積するＥＰＧデータ６０と、ＴＳＰ部５８によって分離された映像データを管理する映像管理部６１と、音声データを管理する音声管理部６２と、番組情報等のデータ放送を管理するデータ放送管理部６３と、コンテンツの録画および録画済みコンテンツの再生を制御する録画再生制御部６４と、録画したコンテンツを蓄積する録画コンテンツ６５とを有する。
【００３１】
（動作）
以下に、本発明の第１の実施の形態における映像蓄積表示装置の動作を図１から図４を参照しつつ説明する。
【００３２】
図４は、本発明の第１の実施の形態に関する嗜好モデルの作成処理についての動作を示すフローチャートである。
【００３３】
まず、嗜好モデル学習部５３は、嗜好モデル５２より嗜好モデルのテンプレートとなるベイジアンネットワークに基づいた構造定義データを呼び出す（ｓ１）。次に、嗜好モデル学習部５３は、ＥＰＧ管理部５９にアクセスしてＥＰＧデータ６０より過去の一定期間のＥＰＧデータを取得する（ｓ２）。次に、嗜好モデル学習部５３は、履歴情報管理部５１にアクセスして履歴データ５０より過去の一定期間の履歴データを取得する（ｓ３）。次に、嗜好モデル学習部５３は、取得したデータをもとにベイジアンネットワークにおける各確率変数の条件付き確率値を計算し（ｓ４）、構造定義データに確率値をあてはめたものを嗜好モデルとして嗜好モデル５２へ格納する（ｓ５）。
【００３４】
嗜好モデルの作成は１日に１回行われるものとし、毎回更新するものとする。また、１日おきに限らず１週間おき等ユーザーが設定できるものとしてもよい。
【００３５】
なお、条件付き確率値はシステム設計者が任意の値を設定して求めてもよい。
【００３６】
図５は、本発明の第１の実施の形態に関する自動録画処理についての動作を示すフローチャートである。
【００３７】
まず、推薦度計算部５７は、ＥＰＧ管理部５９にアクセスしてＥＰＧデータ６０より２４時間分のＥＰＧデータを読み込む（ｓ１１）。次に、推薦度計算部５７は、嗜好モデル管理部５４にアクセスして嗜好モデル５２より嗜好モデルを呼び出しＥＰＧデータ中の各番組の推薦度を計算する（ｓ１２）。次に、所定の推薦度を超える番組をリストアップする（ｓ１３）。次に、推薦番組決定部５６は、リストアップされた番組について録画予約を設定する。録画再生制御部６４は録画予約設定を受け付け、録画時に選局管理部５５にチャンネル選局を指示し、該当する映像ストリームをＴＳＰ部５８より受信して録画コンテンツ６５に蓄積する（ｓ１４）。
【００３８】
図５に示す自動録画処理の動作は２４時間おきに実行される。なお、推薦度計算部５７が読み込むＥＰＧデータは２４時間に限るものではない。別の間隔で読み込む場合は自動録画処理の動作も間隔に基づいて実行されるものとする。
【００３９】
なお、番組をリストアップする際の閾値としての推薦度は設計者が設計しても、ユーザーが設定可能としてもよい。
【００４０】
図６は、本発明の第１の実施の形態に関する映像蓄積表示装置の動作を示すフローチャートである。
【００４１】
リモコン４もしくは本体機能部２に設置された図示しない電源ボタンにより映像蓄積表示装置１の電源がＯＮとなると（ｓ２１）、推薦度計算部５７は、ＥＰＧ管理部５９にアクセスしＥＰＧデータ６０よりＥＰＧデータを読み込み（ｓ２２）、現在放送中の番組情報を検索する（ｓ２３）。また、推薦度計算部５７は、録画再生制御部６４にアクセスし録画済みのコンテンツリストを録画コンテンツ６５より取得する（ｓ２４）。次に、推薦度計算部５７は、嗜好モデル管理部５４で管理される嗜好モデルに基づいて、現在放送中の各テレビ番組と、録画済みコンテンツのすべてに対する推薦度を計算する（ｓ２５）。次に、推薦番組決定部５６は、推薦度計算部５７により計算された番組のうちもっとも推薦度の高い番組を選択する（ｓ２６）。
【００４２】
次に、選択された番組が録画済みコンテンツの場合（ｓ２７；Ｙｅｓ）、そのコンテンツが前回再生されたポイント（レジュームポイント）から再生をスタートする。再生履歴のない番組についてはレジュームポイントが設定されていないために先頭から再生する（ｓ２８）。
【００４３】
また、選択された番組が放送中であるが録画されていない場合（ｓ３０；Ｎｏ）、選局管理部５５は選択された番組を放送している放送局を選局し、ＴＳＰ部５８は所望の番組のパケットをフィルタリングする等のＴＳ分離処理を行う（ｓ３１）。
【００４４】
また、選択された番組が放送中であり録画中である場合（ｓ３０；Ｙｅｓ）、その番組がリアルタイム性が高いかどうかを推薦番組決定部５６が判断し、リアルタイム性が高い場合（ｓ３２；Ｙｅｓ）、ｓ３１のステップを踏みユーザーにリアルタイムで視聴させる。また、リアルタイム性が低い番組である場合は（ｓ３２；Ｎｏ）、その番組の先頭から追いかけ再生する（ｓ３３）。
【００４５】
上記ｓ２７以降のステップで得られる映像ストリームおよび音声ストリーム等はＭＰＥＧ−２デコーダ１２によりデコードされ後段の回路を経て映像出力される（ｓ２９）。
【００４６】
前述したリアルタイム性は、推薦番組決定部５６により、番組のジャンルに基づき判断される。例えば、ニュースやスポーツ等のジャンルをリアルタイム性が高いと定義し、それ以外のジャンルはリアルタイム性が低いと定義する。また、嗜好モデルと同様の学習方法で番組のリアルタイム性を学習してもよい。
【００４７】
（第１の実施の形態の効果）
上記した実施の形態によると、自動でユーザーの嗜好の高い番組が録画されるため、電源投入時に放送している番組だけでなく、録画済みの番組も表示出力の選択候補に挙がり、よりユーザーの嗜好を忠実に反映した表示出力が可能となる。
【００４８】
また、映像蓄積表示装置１は、番組のリアルタイム性を判断する機能を有し、録画中の番組視聴に関して追いかけ再生と通常視聴が判断できるため、よりユーザーの嗜好性を反映した表示出力が可能となる。
【００４９】
〔第２の実施の形態〕
（ソフトウェアの構成）
【００５０】
図７は、本発明の第２の実施の形態に関する映像蓄積表示装置と外部サーバ８の構成を示す概略図である。なお、以下の説明において、第１の実施の形態と同一の構成および機能を有する部分については共通の符号を付している。
【００５１】
外部サーバ８は、インターネットに接続され、複数の映像蓄積表示装置１とＴＣＰ／ＩＰにより情報をやりとりする。
【００５２】
図８は、本発明の第２の実施の形態に関する本体ソフトウェアの構成を示す概略図である。
【００５３】
本体ソフトウェア５００Ｂは、履歴データ５０に保存されたユーザーによる番組視聴行為、番組録画行為、番組録画予約行為、録画コンテンツの再生行為等の操作履歴を外部サーバ８に送信する履歴情報送信部６６と、外部サーバ８より放送中または放送予定の番組の推薦度、録画コンテンツの推薦度を取得する番組推薦情報取得部６７とを有し、それぞれを外部サーバ８の存在するインターネットに接続するためのＴＣＰ／ＩＰ通信部６９を有する。
【００５４】
図９は、本発明の第２の実施の形態に関する外部サーバ内のサーバソフトウェアの構成を示す概略図である。
【００５５】
サーバソフトウェア８００は、ＴＣＰ／ＩＰ通信部９０を介してインターネットに接続されており、外部の映像蓄積表示装置１から履歴情報や番組推薦情報の要求が送信されてくる。
【００５６】
また、サーバソフトウェア８００は、外部の映像蓄積装置１から送信されてくる履歴情報を収集する履歴情報収集部８２と、履歴情報を蓄積する履歴データ８０と、履歴データ５０を管理する履歴情報管理部８１と、ユーザーの嗜好を蓄積する嗜好モデル８５と、嗜好モデルを作成するための嗜好モデル学習部８３と、嗜好モデル８５を管理する嗜好モデル管理部８４と、ＥＰＧデータを管理するＥＰＧ管理部８８と、外部より取得したＥＰＧデータを蓄積するＥＰＧデータ８９と、履歴データ８０と嗜好モデル８５およびＥＰＧデータ８９とを参照して各番組の推薦度を計算する推薦度計算部８６と、推薦度計算部８６によって計算された確率値を番組推薦情報としてまとめあげて送信する番組推薦情報生成部８７とを有する。
【００５７】
（動作）
以下に、本発明の第２の実施の形態における映像蓄積表示装置および外部サーバの動作を図７、図８、図９および各図を参照しつつ説明する。
【００５８】
映像蓄積表示装置１の電源が投入されると、履歴情報送信部６６は、外部サーバ８へ履歴データを送信する。外部サーバ８の履歴情報収集部８２は、履歴データを受信し、履歴情報管理部８１により履歴データ８０に保存する。
【００５９】
この後の工程において、外部サーバ８は、図４に示すフローチャートと同様に動作する。嗜好モデル管理部８４が嗜好モデル８５より構造定義データを呼び出し（ｓ１）、ＥＰＧ管理部８８にアクセスしてＥＰＧデータ８９より過去の一定期間のＥＰＧデータを呼び出し（ｓ２）、履歴情報管理部８１にアクセスして履歴データ８０より履歴データを呼び出して取得する（ｓ３）。推薦度計算部８６はそれらのデータを参照して各確率変数の条件付き確率値を計算し（ｓ４）、構造定義データに確率値をあてはめたものを嗜好モデルとして嗜好モデル８５へ格納する（ｓ５）。
【００６０】
番組推薦情報生成部８７は、嗜好モデル８５より嗜好モデルを呼び出し、番組情報とまとめあげて番組推薦情報として映像蓄積表示装置１へ送信する。映像蓄積表示装置１の番組推薦情報取得部６７は、番組推薦情報を取得し、番組推薦情報６８に格納する。
【００６１】
（第２の実施の形態の効果）
上記した実施の形態によると、外部サーバ８においてユーザーにとって嗜好の高い番組を計算して選択することにより、映像蓄積表示装置１の内部に推薦番組を計算して決定する機構が必要なくなり、構成が簡単となる。
【００６２】
また、映像蓄積表示装置１を変更することなく、外部サーバ８をアップデートすることにより、推薦度計算部のアップデートが可能なため、映像蓄積表示装置１の販売および配布後もシステム全体のカスタム、およびメンテナンスが容易である。
【００６３】
なお、これらの動作は、電源投入のタイミングで実行されずに、定期的に実行されるものでもよい。定期的に実行する場合は、前もって次回実行のタイミングまでの番組推薦情報を取得しておき、番組推薦情報６８に保存する。映像蓄積表示装置１の電源が投入されたと同時に番組推薦情報６８を参照して出力する番組を決定する。
【００６４】
定期的に実行する場合は、番組推薦情報６８に情報が蓄積されているため、外部サーバ８へアクセスする等のタイムロスがなく電源投入動作に時間的な遅れが生じることなく出力が可能である。
【００６５】
〔第３の実施の形態〕
（リモコンの構成）
図１０は、本発明の第３の実施の形態に関するリモコンの構成を示す平面図である。
【００６６】
リモコン４は、テレビの電源やチャンネル操作等を行えるテレビ機能操作スイッチ群４００と、ビデオ表示とルーター表示の切り替えを行うルータービデオ切替スイッチ４０１と、画面表示モードを切替え可能な表示機能操作スイッチ４０２、視聴中のユーザーを登録可能なユーザー認識スイッチ４０３Ａ〜４０３Ｃと、表示メディアを切替可能なメディア切替スイッチ４０４、録画コンテンツ等の記録映像の再生や録画予約の操作を行う記録再生装置スイッチ群４０５と、数値入力を行う数値入力スイッチ群４０６とを有する。
【００６７】
（ソフトウェアの構成）
図１１は、本発明の第３の実施の形態に関する本体ソフトウェアの構成を示す概略図である。
【００６８】
本体ソフトウェア５００Ｃは、リモコン４のユーザー認識スイッチ４０３Ａ〜４０３Ｃを操作に基づいて視聴中のユーザーを識別可能なユーザー識別部７０を有する。履歴データ５０、嗜好モデル５２はそれぞれ、ユーザーごとの履歴データと嗜好モデルを記憶している。
【００６９】
（動作）
以下に、本発明の第３の実施の形態における映像蓄積表示装置の動作を図１０、１１および各図を参照しつつ説明する。
【００７０】
リモコン４のユーザー認識スイッチ４０３Ａ〜４０３Ｃは、トグルになっており一度押すとスイッチに内蔵されたＬＥＤが点灯し、リモコン４から映像蓄積表示装置１へユーザー認識スイッチ４０３Ａ〜４０３Ｃに基づいたコマンドが送信される。例えば、スイッチ４０３Ａを父、スイッチ４０３Ｂを母、スイッチ４０３Ｃを長男とすると、ユーザー認識スイッチ４０３Ｂが押されることにより、映像蓄積表示装置１は、ユーザー識別部７０内で母の状態を「視聴していない」から「現在視聴中」へと変更する。ユーザー認識スイッチ４０３Ｂをもう一度押すことによりＬＥＤが消灯し、ユーザー識別部７０内において母の状態は「現在視聴中」から「視聴していない」へと変更される。
【００７１】
ユーザー識別部７０は、ユーザーの状態に基づいて履歴データ５０、および嗜好モデル５２内の使用するデータを対応したユーザーのものへと切り替える。
【００７２】
複数のユーザーが「現在視聴中」の場合は、複数のユーザーに対する履歴データと嗜好モデルを再計算することにより、推奨番組を決定するものとする。また、ユーザーに優先順位を定めて推奨番組を判断してもよい。
【００７３】
また、履歴データ５０、および嗜好モデル５２は、各ユーザーごとの履歴データ、嗜好モデルを記憶するだけでなく、ユーザーが識別されていない状態で操作される場合に使用される汎用履歴データと汎用嗜好モデルを記憶している。この汎用履歴データと汎用嗜好モデルは全ユーザーの履歴データと嗜好モデルに基づき作成される。
【００７４】
（第３の実施の形態の効果）
上記した実施の形態によると、ユーザー識別機能を有し、かつ各ユーザーに対しての嗜好モデルを作成する構成であるため、現在視聴中のユーザーに対してより精度の高い嗜好の判断が可能となる。
【００７５】
なお、ユーザー認識スイッチは映像蓄積表示装置１に設置されていてもよい。なお、ユーザー認識スイッチ４０３Ａ〜４０３Ｃに限らず、カメラによる人物認証、指紋認証、手のひら静脈認証等を用いても良く、特に手段を限定しない。
【図面の簡単な説明】
【００７６】
【図１】本発明の第１の実施の形態に関する映像蓄積表示装置の概略図である。
【図２】本発明の第１の実施の形態に関する映像蓄積表示装置の概略構成を示すブロック図である。
【図３】本発明の第１の実施の形態における本体ソフトウェアの構成を示す概略図である。
【図４】本発明の第１の実施の形態に関する嗜好モデルの作成処理についての動作を示すフローチャートである。
【図５】本発明の第１の実施の形態に関する自動録画処理についての動作を示すフローチャートである。
【図６】本発明の第１の実施の形態に関する映像蓄積表示装置の動作を示すフローチャートである。
【図７】本発明の第２の実施の形態に関する映像蓄積表示装置と外部サーバ８の構成を示す概略図である。
【図８】本発明の第２の実施の形態に関する本体ソフトウェアの構成を示す概略図である。
【図９】本発明の第２の実施の形態に関するサーバソフトウェアの構成を示す概略図である。
【図１０】本発明の第３の実施の形態に関するリモコンの構成を示す平面図である。
【図１１】本発明の第３の実施の形態に関する本体ソフトウェアの構成を示す概略図である。
【符号の説明】
【００７７】
１…映像蓄積表示装置、２…本体機能部、３…画像表示部、４…リモコン、８…外部サーバ、１０…システムＬＳＩ、１１…ＤＥＭＵＸ、１２…ＭＰＥＧ−２デコーダ、１３…グラフィックエンジン、１４…デジタルフォーマットコンバータ、１５…ＣＰＵ、２０…信号受信部、２１…デジタルチューナ、２２…デジタルチューナ、２３…復調部、２４…復調部、３０…バックエンドプロセッサ、３１…表示画面、４０…ハードディスク、４１…ＳＤＲＡＭ、４２…フラッシュメモリ、４３…ＬＡＮ処理ＬＳＩ、４４…コントローラＬＳＩ、４５…Ｉ／Ｆ部、４６…３次元ＹＣ分離、４７…ゴーストリダクション、４８…Ａ／Ｄ部、４９…Ａ／Ｄ部、５０…履歴データ、５１…履歴情報管理部、５２…嗜好モデル、５３…嗜好モデル学習部、５４…嗜好モデル管理部、５５…選局管理部、５６…推薦番組決定部、５７…推薦度計算部、５８…ＴＳＰ部、５９…ＥＰＧ管理部、６０…ＥＰＧデータ、６１…映像管理部、６２…音声管理部、６３…データ放送管理部、６４…録画再生制御部、６５…録画コンテンツ、６６…履歴情報送信部、６７…番組推薦情報取得部、６８…番組推薦情報、６９…ＴＣＰ／ＩＰ通信部、７０…ユーザー識別部、８０…履歴データ、８１…履歴情報管理部、８２…履歴情報収集部、８３…嗜好モデル学習部、８４…嗜好モデル管理部、８５…嗜好モデル、８６…推薦度計算部、８７…番組推薦情報生成部、８８…ＥＰＧ管理部、８９…ＥＰＧデータ、９０…ＴＣＰ／ＩＰ通信部、４００…テレビ機能操作スイッチ群、４０１…ルータービデオ切替スイッチ、４０２…表示機能操作スイッチ、４０３Ａ…ユーザー認識スイッチ、４０３Ｂ…ユーザー認識スイッチ、４０３Ｃ…ユーザー認識スイッチ、４０４…メディア切替スイッチ、４０５…記録再生装置スイッチ群、４０６…数値入力スイッチ群、５００Ａ…本体ソフトウェア、５００Ｂ…本体ソフトウェア、５００Ｃ…本体ソフトウェア、８００…サーバソフトウェア
【図１】
2007281676.tif 000003
【図２】
2007281676.tif 000004
【図３】
2007281676.tif 000005
【図４】
2007281676.tif 000006
【図５】
2007281676.tif 000007
【図６】
2007281676.tif 000008
【図７】
2007281676.tif 000009
【図８】
2007281676.tif 000010
【図９】
2007281676.tif 000011
【図１０】
2007281676.tif 000012
【図１１】
2007281676.tif 000013